(57)【要約】【課題】ブラックバック状態に移行したとしても、光ディスク装置の動作状態をＯＳＤ機能により表示可能である光ディスク装置内蔵テレビ装置を提供する。【解決手段】独立するテレビ側ＯＳＤ処理部、及びＤＶＤ側ＯＳＤ処理部を備え、テレビ装置の制御を行なうテレビマイコンが備えるディスク搬送検知部が光ディスクの搬入、或いは搬出を検出すると、搬送方向表示部はその搬送方向を示す画像をテレビ側ＯＳＤ処理部を用いて画面に表示する。光ディスクの搬送は例えば、光ディスク装置が備える光ディスクスロットに光ディスクが挿入された場合に、光ディスクを回転駆動できる位置に移動させる場合等に行われる。また光ディスク装置の制御を行なうＤＶＤマイコンが備える第二搬送検知部が光ディスクの搬入、或いは搬出を検出すると、ディスクロゴ表示部はＤＶＤ側ＯＳＤ処理部を用いて、光ディスクの外観を簡略化した画像を画面に表示する。【選択図】図１
2008199297.tif 000002
【特許請求の範囲】
【請求項１】
テレビ放送を受信してモニタに表示するテレビ装置と、
光ディスクに対する情報の記録及び／若しくは再生が可能な光ディスク装置と、
前記テレビ装置の制御を行うテレビマイコンと、
前記光ディスク装置の制御を行うＤＶＤマイコンと、
情報の記録を行うＲＯＭと、
前記テレビ装置が保持する情報を示す画像を作成して出力するテレビ側ＯＳＤ処理部と、
前記光ディスク装置が保持する情報を示す画像を作成して出力するＤＶＤ側ＯＳＤ処理部と、
を備えた光ディスク装置内蔵テレビ装置であって、
前記テレビマイコンが、前記光ディスク装置による光ディスクの搬入、或いは搬出を検知する第一搬送検知部と、
前記第一搬送検知部により光ディスクの搬送を検知した際に、前記テレビ側ＯＳＤ処理部を用いて前記光ディスクの搬送方向を示す搬送方向表示画像を前記モニタに出力する搬送方向表示部とを備え、
前記ＤＶＤマイコンが、前記光ディスク装置による光ディスクの搬入、或いは搬出を検知する第二搬送検知部と、
前記第二搬送検知部により光ディスクの搬送を検知した際に、前記ＤＶＤ側ＯＳＤ処理部を用いてディスクロゴを前記モニタに出力するディスクロゴ表示部とを備え、
前記ＲＯＭが、前記光ディスク装置が光ディスクを搬入、或いは搬出する際の搬送方向を示す搬送方向情報、及び前記光ディスク装置内蔵テレビ装置における前記光ディスク装置の取付位置を示す取付位置情報を記録しており、
前記搬送方向表示部が、前記第一搬送検知部により光ディスクの搬送を検知した際に、前記ＲＯＭより読み出した前記搬送方向情報、及び前記取付位置情報に基づいて、前記搬送方向に対応する搬送方向表示画像をテレビ側ＯＳＤ処理部を用いて前記取付位置の近傍に表示すること
を特徴とする光ディスク装置内蔵テレビ装置。
【請求項２】
テレビ放送を受信して表示装置に表示するテレビ装置と、
光ディスクに対する情報の記録及び／若しくは再生が可能な光ディスク装置と、
前記テレビ装置の制御を行う第一制御部と、
前記光ディスク装置の制御を行う第二制御部と、
情報の記録を行う記録手段と、
前記テレビ装置が保持する情報を示す画像を作成して出力する第一画像作成手段と、
前記光ディスク装置が保持する情報を示す画像を作成して出力する第二画像作成手段と、
を備えた光ディスク装置内蔵テレビ装置であって、
前記第一制御部が、前記光ディスク装置による光ディスクの搬入、或いは搬出を検知する第一搬送検知部と、
前記第一搬送検知部により光ディスクの搬送を検知した際に、前記第一画像作成手段を用いて前記光ディスクの搬送方向を示す搬送方向表示画像を前記表示装置に出力する搬送方向表示部とを備え、
前記第二制御部が、前記光ディスク装置による光ディスクの搬入、或いは搬出を検知する第二搬送検知部と、
前記第二搬送検知部により光ディスクの搬送を検知した際に、前記第二画像作成手段を用いて光ディスクの外観を簡略化した画像を前記表示装置に出力する簡略画像表示部とを備えていること
を特徴とする光ディスク装置内蔵テレビ装置。
【請求項３】
前記記録手段が、前記光ディスク装置が光ディスクを搬入、或いは搬出する際の搬送方向を示す搬送方向情報を記録しており、
前記搬送方向表示部が、前記第一搬送検知部により光ディスクの搬送を検知した際に、前記記録手段より前記搬送方向情報を読み出し、前記搬送方向情報に基づいて光ディスクの搬送方向を特定し、特定した前記搬送方向に対応する搬送方向表示画像を前記第一画像作成手段を用いて前記表示装置に出力すること
を特徴とする請求項２に記載の光ディスク装置内蔵テレビ装置。
【請求項４】
前記記録手段が、前記光ディスク装置内蔵テレビ装置における前記光ディスク装置の取付位置を示す取付位置情報を記録しており、
前記搬送方向表示部が、前記第一搬送検知部により光ディスクの搬送を検知した際に、前記記録手段より前記取付位置情報を読み出し、前記取付位置情報に基づいて前記光ディスク装置の取付位置を特定し、搬送方向表示画像を前記第一画像作成手段を用いて前記取付位置の近傍に表示すること
を特徴とする請求項２または請求項３に記載の光ディスク装置内蔵テレビ装置。
【発明の詳細な説明】
【技術分野】
【０００１】
本発明は、光ディスクに対する記録或いは再生が可能な光ディスク装置を内蔵したテレビ装置に関するものであり、特にテレビ装置がＯＳＤ（on-screen display）機能を用いて表示する光ディスクの搬送方向の表示方法に関する。
【背景技術】
【０００２】
近年、テレビ等の画像装置において処理される動画や音声の記録を行うための装置として、ＤＶＤ（Digital Versatile Disk）レコーダ等の、デジタル方式の光ディスクを用いた記録再生装置が広く普及している。また、このような記録再生装置を内蔵した複合機として、光ディスク装置内蔵テレビ装置が広く普及している。
【０００３】
光ディスク装置内蔵テレビ装置は、ＤＶＤメディア等の光ディスク記録媒体に対する情報の記録／再生が行える光ディスク装置をテレビ装置の内部に備えている。テレビ放送の受信の他に、ＤＶＤソフトの再生や、チューナにより受信したテレビ放送をＤＶＤメディアに録画する等の処理を一つの装置で行うことが可能である。このような光ディスク装置内蔵テレビ装置は通常、テレビ放送の受信及び表示を制御するテレビマイコン（＝テレビ制御用マイクロコンピュータ）と、ＤＶＤドライブによる記録／再生を制御するＤＶＤマイコン（＝ＤＶＤドライブ制御用マイクロコンピュータ）の二つのマイコンを備えている。
【０００４】
このため例えば、光ディスク装置内蔵テレビ装置の電源が投入された際に、テレビマイコンが行うテレビ装置の立ち上げ処理、例えばテレビ装置の初期設定や選局動作等と、ＤＶＤマイコンが行う光ディスク装置の立ち上げ処理、例えば光ディスクのスピンアップ処理等とが同時に行われる。
【０００５】
通常、テレビマイコンがテレビ装置の立ち上げ処理を行っている間、画面はブラックバック状態と呼ばれる黒一色の画面となる。これはテレビマイコンがテレビ装置側のＯＳＤ処理部を用いて黒い画像を作成して画面に出力する等により行われる。この状態においては、仮にＤＶＤマイコンが光ディスク装置側のＯＳＤ処理部を用いて何らかの画像を表示しようとしたとしても、テレビマイコンによるブラックバック表示処理が優先されるため、結果として画像を一切表示できない状態となる。
【０００６】
しかしながら画面がブラックバック状態であったとしても、ＤＶＤマイコンはテレビマイコンから独立しているため、光ディスク装置を用いた各種処理を行うことは可能である。従ってＤＶＤマイコンにしてみれば、光ディスク装置を用いた各種処理を実行中であるにも関わらず、その実行状況をＯＳＤ処理部によりユーザに通知することができないという問題が発生する。
【０００７】
具体的には例えば、電源ＯＦＦ状態の光ディスク装置内蔵テレビ装置に光ディスクが搬入されることをトリガーとして電源の起動が開始されたとする。この場合、ＤＶＤマイコンは光ディスクの搬入処理を行うが、その間テレビマイコンはテレビ装置の立ち上げ処理を行うため、画面はブラックバック状態になる。このため、光ディスクの搬入処理を示すＯＳＤ画像、例えば矢印アイコン等を表示することができない。
【０００８】
なお、テレビマイコンがテレビ装置のシャットダウン処理を行う際にも画面はブラックバック状態となる。このため立ち上げ処理時と同様、シャットダウン処理中においてＤＶＤマイコンは、ＯＳＤ処理部を用いた画像の表示が不可能となる。
【０００９】
上記に関連して特許文献１においては、ＤＶＤプレーヤのディスク挿入口がスロットインタイプである場合でも、ユーザが誤ってＤＶＤを二重挿ししてしまうことを防ぐことが可能なＤＶＤプレーヤ内蔵テレビジョン受像機が開示されている。特許文献１のＤＶＤプレーヤ内蔵テレビジョン受像機は、電源スイッチがオンにされたときに、ＤＶＤプレーヤ部に電源部からの電源を供給しない。そしてディスク挿入口からＤＶＤがＤＶＤプレーヤ部に挿入されたときに、電源部からＤＶＤプレーヤ部への電源供給を開始する。
【００１０】
制御手段は、電源スイッチのオン時に電源が供給されるディスク有無情報記憶手段に記録されたディスク有無情報に基づいて、ＤＶＤプレーヤ部内にＤＶＤが存在していることを表す表示をモニタに出力する。これにより、ユーザが誤ってＤＶＤを二重挿ししてしまうことを防ぐことができる。
【００１１】
上記に関連して特許文献２においては、ＶＴＲ等外部機器が動作中にプレーヤがＯＮされたとき、プレーヤがＯＮされてから実際に画像を再生するまでの期間、引き続きＶＴＲ等外部機器からの画像を出力しつつ、プレーヤがＯＮされていることを示すマークをテレビの画面上の一部に表示して、ＶＴＲ等の画面を視聴しながらプレーヤの動作状態を知ることのできるテレビ信号接続方法が開示されている。
【００１２】
特許文献２のテレビジョン信号接続方法は、ビデオ信号の出力の経路に文字パターン挿入回路を設けている。プレーヤがＯＮしてから実際に再生信号を出力するまでの期間、ビデオ信号の経路にはＶＴＲ等外部機器からの信号を引き続き出力すると共に、プレーヤがＯＮしていることを示す文字またはマークをビデオ信号に挿入して出力する。これにより、テレビの画面上にプレーヤの動作状態を表示する。
【特許文献１】特開２００６−３１４０１５号公報
【特許文献２】特開平１０−２９０４３４号公報
【発明の開示】
【発明が解決しようとする課題】
【００１３】
しかしながら、上記特許文献１及び特許文献２においては、テレビ装置が通常表示を行っている際にＤＶＤプレーヤのディスク挿入状態、或いはＤＶＤプレーヤの動作状態を示す方法については開示されているが、テレビ装置がブラックバック状態である場合のＯＳＤ表示処理については開示も示唆もなされていない。従って特許文献１及び特許文献２の発明は、テレビ装置の起動時、或いはシャットダウン時等に発生するブラックバック状態においては、従来のＯＳＤ表示と同様、効果をなさないという問題があった。
【００１４】
本発明は、上記の問題を鑑みてなされたものであり、光ディスク装置を内蔵したテレビ装置において、テレビ装置が起動時、或いはシャットダウン時においてブラックバック状態に移行したとしても、光ディスク装置の動作状態をＯＳＤ機能により表示可能である光ディスク装置内蔵テレビ装置を提供することにある。
【課題を解決するための手段】
【００１５】
上記目的を達成するために本発明の光ディスク装置内蔵テレビ装置は、テレビ放送を受信してモニタに表示するテレビ装置と、光ディスクに対する情報の記録及び／若しくは再生が可能な光ディスク装置と、前記テレビ装置の制御を行うテレビマイコンと、前記光ディスク装置の制御を行うＤＶＤマイコンと、情報の記録を行うＲＯＭと、前記テレビ装置が保持する情報を示す画像を作成して出力するテレビ側ＯＳＤ処理部と、前記光ディスク装置が保持する情報を示す画像を作成して出力するＤＶＤ側ＯＳＤ処理部とを備えた光ディスク装置内蔵テレビ装置であって、前記テレビマイコンが、前記光ディスク装置による光ディスクの搬入、或いは搬出を検知する第一搬送検知部と、前記第一搬送検知部により光ディスクの搬送を検知した際に、前記テレビ側ＯＳＤ処理部を用いて前記光ディスクの搬送方向を示す搬送方向表示画像を前記モニタに出力する搬送方向表示部とを備え、前記ＤＶＤマイコンが、前記光ディスク装置による光ディスクの搬入、或いは搬出を検知する第二搬送検知部と、前記第二搬送検知部により光ディスクの搬送を検知した際に、前記ＤＶＤ側ＯＳＤ処理部を用いてディスクロゴを前記モニタに出力するディスクロゴ表示部とを備え、前記ＲＯＭが、前記光ディスク装置が光ディスクを搬入、或いは搬出する際の搬送方向を示す搬送方向情報、及び前記光ディスク装置内蔵テレビ装置における前記光ディスク装置の取付位置を示す取付位置情報を記録しており、前記搬送方向表示部が、前記第一搬送検知部により光ディスクの搬送を検知した際に、前記ＲＯＭより読み出した前記搬送方向情報、及び前記取付位置情報に基づいて、前記搬送方向に対応する搬送方向表示画像をテレビ側ＯＳＤ処理部を用いて前記取付位置の近傍に表示することを特徴としている。
【００１６】
これによると、本発明の光ディスク装置内蔵テレビ装置は、ＤＶＤ等の光ディスクに対する情報の記録や再生が可能な光ディスク装置を内蔵している。また、装置が内部処理等に用いる情報を記録すためのメモリ、或いはＲＯＭ等の記録手段を備えている。また、テレビ装置が保持する各種情報、例えばチューナで受信中のチャンネル情報等を示す画像を作成して出力するテレビ側ＯＳＤ処理部を備えている。また併せて、光ディスク装置が保持する各種情報、例えば光ディスク装置による録画予約情報等を示す画像を作成して出力するＤＶＤ側ＯＳＤ処理部を備えている。二つのＯＳＤ処理部は独立しており、従って二つの処理部が作成した画像を重畳して表示することも可能である。テレビ装置の制御を行なうテレビマイコンが備えるディスク搬送検知部が光ディスクの搬入、或いは搬出を検出すると、搬送方向表示部はその搬送方向を示す画像、例えば矢印アイコン等をテレビ側ＯＳＤ処理部を用いて作成して画面に表示する。光ディスクの搬送は例えば、光ディスク装置が備える光ディスクスロットに光ディスクが挿入された場合に、光ディスクを回転駆動できる位置に移動させる場合等に行われる。搬出については、この逆である。また光ディスク装置の制御を行なうＤＶＤマイコンが備える第二搬送検知部が光ディスクの搬入、或いは搬出を検出すると、ディスクロゴ表示部はＤＶＤ側ＯＳＤ処理部を用いて、光ディスクの外観を簡略化した画像、例えば「◎」のような円形のアイコンを画面に表示する。
【００１７】
さらにこれによると、本発明の光ディスク装置内蔵テレビ装置は、ＲＯＭ等の記録媒体に、光ディスク装置が光ディスクを搬入、或いは搬出する際の搬送方向を示す搬送方向情報を記録している。この搬送方向は、光ディスク装置が光ディスク装置内蔵テレビ装置にいかなる向きで取り付けられているかにより決まる。例えば光ディスク装置が光ディスク装置内蔵テレビ装置の側面に取り付けられ、かつ光ディスク装置の挿入スロットが光ディスク装置内蔵テレビ装置の正面から見て右側に位置したとする。この場合、搬入処理において光ディスクは装置正面から見て右から左へ、搬出処理においては左から右へ搬送されることになる。この搬送方向を示す搬送方向情報は、例えば光ディスク装置内蔵テレビ装置の工場出荷時において、メモリ等に記録される。そして第一搬送検知部が光ディスクの搬入、或いは搬出を検知すると、搬送方向表示部は記録媒体より搬送方向情報を読み出して搬送方向を特定し、特定した搬送方向に適合する搬送方向表示画像をテレビ側ＯＳＤ処理部を用いて表示する。
【００１８】
さらにこれによると、本発明の光ディスク装置内蔵テレビ装置は、ＲＯＭ等の記録媒体に、光ディスク装置が光ディスク装置内蔵テレビ装置に取り付けられている取付位置を示す取付位置情報を記録している。この取付位置は、光ディスク装置が光ディスク装置内蔵テレビ装置のいかなる部分に取り付けられているかにより決まる。この取付位置を示す取付位置情報は、例えば光ディスク装置内蔵テレビ装置の工場出荷時において、メモリ等に記録される。そして第一搬送検知部が光ディスクの搬入、或いは搬出を検知すると、搬送方向表示部は記録媒体より取付位置情報を読み出して取付位置を特定し、特定した取付位置の近傍に、搬送方向表示画像をテレビ側ＯＳＤ処理部を用いて表示する。例えば光ディスク装置が、光ディスク装置内蔵テレビ装置の正面から見て上面中央に設けられていたとする。この場合、搬送方向表示画像は画面中央の上部に表示される。
【００１９】
また、上記目的を達成するために本発明の光ディスク装置内蔵テレビ装置は、テレビ放送を受信して表示装置に表示するテレビ装置と、光ディスクに対する情報の記録及び／若しくは再生が可能な光ディスク装置と、前記テレビ装置の制御を行う第一制御部と、前記光ディスク装置の制御を行う第二制御部と、情報の記録を行う記録手段と、前記テレビ装置が保持する情報を示す画像を作成して出力する第一画像作成手段と、前記光ディスク装置が保持する情報を示す画像を作成して出力する第二画像作成手段とを備えた光ディスク装置内蔵テレビ装置であって、前記第一制御部が、前記光ディスク装置による光ディスクの搬入、或いは搬出を検知する第一搬送検知部と、前記第一搬送検知部により光ディスクの搬送を検知した際に、前記第一画像作成手段を用いて前記光ディスクの搬送方向を示す搬送方向表示画像を前記表示装置に出力する搬送方向表示部とを備え、前記第二制御部が、前記光ディスク装置による光ディスクの搬入、或いは搬出を検知する第二搬送検知部と、前記第二搬送検知部により光ディスクの搬送を検知した際に、前記第二画像作成手段を用いて光ディスクの外観を簡略化した画像を前記表示装置に出力する簡略画像表示部とを備えていることを特徴としている。
【００２０】
これによると、本発明の光ディスク装置内蔵テレビ装置は、ＤＶＤ等の光ディスクに対する情報の記録や再生が可能な光ディスク装置を内蔵している。また、装置が内部処理等に用いる情報を記録すためのメモリ、或いはＲＯＭ等の記録手段を備えている。また、テレビ装置が保持する各種情報、例えばチューナで受信中のチャンネル情報等を示す画像を作成して出力するテレビ側ＯＳＤ処理部（＝第一画像作成手段）を備えている。また併せて、光ディスク装置が保持する各種情報、例えば光ディスク装置による録画予約情報等を示す画像を作成して出力するＤＶＤ側ＯＳＤ処理部（＝第二画像作成手段）を備えている。二つのＯＳＤ処理部は独立しており、従って二つの処理部が作成した画像を重畳して表示することも可能である。テレビ装置の制御を行なうテレビマイコン（＝第一制御部）が備えるディスク搬送検知部（＝第一搬送検知部）が光ディスクの搬入、或いは搬出を検出すると、搬送方向表示部はその搬送方向を示す画像、例えば矢印アイコン等をテレビ側ＯＳＤ処理部を用いて作成して画面に表示する。光ディスクの搬送は例えば、光ディスク装置が備える光ディスクスロットに光ディスクが挿入された場合に、光ディスクを回転駆動できる位置に移動させる場合等に行われる。搬出については、この逆である。また光ディスク装置の制御を行なうＤＶＤマイコン（＝第二制御部）が備える第二搬送検知部が光ディスクの搬入、或いは搬出を検出すると、ディスクロゴ表示部（＝簡略画像表示部）はＤＶＤ側ＯＳＤ処理部（＝第二画像作成手段）を用いて、光ディスクの外観を簡略化した画像、例えば「◎」のような円形のアイコンを画面に表示する。
【００２１】
また、上記目的を達成するために本発明の光ディスク装置内蔵テレビ装置は、前記記録手段が、前記光ディスク装置が光ディスクを搬入、或いは搬出する際の搬送方向を示す搬送方向情報を記録しており、前記搬送方向表示部が、前記第一搬送検知部により光ディスクの搬送を検知した際に、前記記録手段より前記搬送方向情報を読み出し、前記搬送方向情報に基づいて光ディスクの搬送方向を特定し、特定した前記搬送方向に対応する搬送方向表示画像を前記第一画像作成手段を用いて前記表示装置に出力することを特徴としている。
【００２２】
これによると、本発明の光ディスク装置内蔵テレビ装置は、ＲＯＭ等の記録媒体（＝記録手段）に、光ディスク装置が光ディスクを搬入、或いは搬出する際の搬送方向を示す搬送方向情報を記録している。この搬送方向は、光ディスク装置が光ディスク装置内蔵テレビ装置にいかなる向きで取り付けられているかにより決まる。例えば光ディスク装置が光ディスク装置内蔵テレビ装置の側面に取り付けられ、かつ光ディスク装置の挿入スロットが光ディスク装置内蔵テレビ装置の正面から見て右側に位置したとする。この場合、搬入処理において光ディスクは装置正面から見て右から左へ、搬出処理においては左から右へ搬送されることになる。この搬送方向を示す搬送方向情報は、例えば光ディスク装置内蔵テレビ装置の工場出荷時において、メモリ等に記録される。そして第一搬送検知部が光ディスクの搬入、或いは搬出を検知すると、搬送方向表示部は記録媒体より搬送方向情報を読み出して搬送方向を特定し、特定した搬送方向に適合する搬送方向表示画像をテレビ側ＯＳＤ処理部を用いて表示する。
【００２３】
また、上記目的を達成するために本発明の光ディスク装置内蔵テレビ装置は、前記記録手段が、前記光ディスク装置内蔵テレビ装置における前記光ディスク装置の取付位置を示す取付位置情報を記録しており、前記搬送方向表示部が、前記第一搬送検知部により光ディスクの搬送を検知した際に、前記記録手段より前記取付位置情報を読み出し、前記取付位置情報に基づいて前記光ディスク装置の取付位置を特定し、搬送方向表示画像を前記第一画像作成手段を用いて前記取付位置の近傍に表示することを特徴としている。
【００２４】
これによると、本発明の光ディスク装置内蔵テレビ装置は、ＲＯＭ等の記録媒体に、光ディスク装置が光ディスク装置内蔵テレビ装置に取り付けられている取付位置を示す取付位置情報を記録している。この取付位置は、光ディスク装置が光ディスク装置内蔵テレビ装置のいかなる部分に取り付けられているかにより決まる。この取付位置を示す取付位置情報は、例えば光ディスク装置内蔵テレビ装置の工場出荷時において、メモリ等に記録される。そして第一搬送検知部が光ディスクの搬入、或いは搬出を検知すると、搬送方向表示部は記録媒体より取付位置情報を読み出して取付位置を特定し、特定した取付位置の近傍に、搬送方向表示画像をテレビ側ＯＳＤ処理部を用いて表示する。例えば光ディスク装置が、光ディスク装置内蔵テレビ装置の正面から見て上面中央に設けられていたとする。この場合、搬送方向表示画像は画面中央の上部に表示される。
【発明の効果】
【００２５】
本発明によれば、光ディスク装置が光ディスクの搬入、或いは搬出を行う際に、その搬入方向を示す画像、例えば矢印アイコン等をテレビ側ＯＳＤ処理部を用いて画面に表示する。またディスクの搬入、或いは搬出を行う際に、光ディスクの外観を簡略化した画像をＤＶＤ側ＯＳＤ処理部を用いて画面に表示する。このため、例えば光ディスク装置内蔵テレビ装置が起動処理中等のため画面がブラックバック状態である場合においても、少なくともディスクの搬送方向だけは確実にユーザに通知することが可能である。
【００２６】
また本発明によれば、ＲＯＭ等の記録媒体に、光ディスク装置が光ディスクを搬入、或いは搬出する際の搬送方向を示す搬送方向情報を記録している。この搬送方向を示す搬送方向情報は、例えば光ディスク装置内蔵テレビ装置の工場出荷時において、メモリ等に記録されている。このため搬送方向表示部は、光ディスク装置の取付位置と整合性のとれた搬送方向を確実に表示することができる。このため、従来のようにＤＶＤ側ＯＳＤ処理部を用いて搬送方向表示を行う場合と比較して、光ディスクの搬送方向の検知処理や、予想される搬送方向の全てカバーする複数の搬送方向表示用ファームウェアを用意する必要がないため、装置構成を簡略化できる。
【００２７】
また本発明によれば、ＲＯＭ等の記録媒体に、光ディスク装置が光ディスク装置内蔵テレビ装置に取り付けられている取付位置を示す取付位置情報を記録している。搬送方向表示部はこれを読み出し、取付位置の近傍に搬送方向表示画像を表示する。このためユーザは、画面上で搬送方向を示す画像が表示された近くに光ディスク装置が存在することを直感的に知ることができる。このため、光ディスクの取り出し作業等をスムーズに行うことが可能となる。
【発明を実施するための最良の形態】
【００２８】
以下に本発明の実施形態を、図面を参照しながら説明する。なお、ここで示す実施形態は一例であり、本発明はここに示す実施形態に限定されるものではない。
【００２９】
〈１．内部構成について〉
図２は、本発明に係るＤＶＤドライブ内蔵テレビ１（＝光ディスク装置内蔵テレビ装置）を示すブロック構成図である。ＤＶＤドライブ内蔵テレビ１は、少なくとも、テレビマイコン１１、メモリ１２、ＤＶＤマイコン１３、チューナ１４、信号処理部１５、モニタ１６、光ディスクドライブ１７、色再生回路１８、テレビ側ＯＳＤ処理部１９、ＤＶＤ側ＯＳＤ処理部２０、音声回路２１、スピーカ２２、操作ボタン群２３、およびＲＯＭ２４を含むように構成されている。
【００３０】
テレビマイコン１１（＝第一制御部）は、ＤＶＤドライブ内蔵テレビ１におけるテレビ画像表示処理を実施するための各装置を制御する。これによりチューナにより受信したテレビ放送の表示処理を統括制御する。テレビマイコン１１は、例えば複数のマイクロプロセッサから構成されている。またテレビマイコン１１は、各装置（例えば色再生回路１８等）の制御やデータの計算、加工処理等を行なう中枢部分となっている。なお、図２に示されるテレビマイコン１１が備える各機能部（図１に示すディスク搬送検知部１１ａ、搬送方向表示部１１ｂ）の詳細については後述する。
【００３１】
メモリ１２は、ＤＶＤドライブ内蔵テレビ１が保持する各種データを一時的に記録する媒体であり、例えば書込可能なＲＡＭ（Random Access Memory）等により構成されている。メモリ１２は、例えばテレビマイコン１１によって各種情報処理が行われる際の処理データや、ユーザから受けた指示命令等を一時的に記録しておくためのバッファメモリとしての役割を持つ。
【００３２】
ＤＶＤマイコン１３（＝第二制御部）は、ＤＶＤドライブ内蔵テレビ１におけるＤＶＤ記録再生処理を実施するために各装置を制御する。これによりＤＶＤメディアに記録された画像情報の再生処理、或いはチューナにより受信した画像情報のＤＶＤ録画処理等を統括制御する。ＤＶＤマイコン１３は、例えば複数のマイクロプロセッサから構成されている。またＤＶＤマイコン１３は、各装置（例えば光ディスクドライブ１７等）の制御やデータの計算、加工処理等を行なう中枢部分となっている。なお、ＤＶＤマイコン１３が備える各機能部（図１に示すディスク搬送検知部１３ａ、ディスクロゴ表示部１３ｂ）の詳細については後述する。
【００３３】
チューナ１４は、無線のテレビ放送等を選局受信し、音声信号及び画像信号を得る。チューナ１４は例えば、アンテナ（不図示）に接続されてデジタル放送を受信するデジタルチューナーや、アナログ放送を受信するアナログチューナ等の機能を持つ。
【００３４】
信号処理部１５は、チューナ１４、或いは光ディスクドライブ１７から入力された音声信号と画像信号とを処理する。音声信号は音声回路２１に送られ、スピーカ２２から出力される。画像信号は色再生回路１８に送られ、モニタ１６から出力される。また信号処理部１５は、チューナ１４より入力した音声信号及び画像信号を光ディスクドライブ１７に送ることにより、ＤＶＤメディア（不図示）への録音、録画を可能とする。
【００３５】
モニタ１６（＝表示装置）は、例えばブラウン管や液晶モニタ等を備えた表示装置である。チューナ１４を用いて入力した画像信号、或いは光ディスクドライブ１７がＤＶＤメディアから読み出した画像信号は、信号処理部１５及び色再生回路１８を経て、モニタ１６に表示される。
【００３６】
光ディスクドライブ１７（＝光ディスク装置）は、ＣＤメディア、或いはＤＶＤメディア等の光ディスクを格納し、光ディスクに対して光学的に各種データの読み込み、または書き込みを行うための光学装置である。なお、光ディスクには複数の規格が存在するため、光ディスクドライブ１７の規格に応じた光ディスクを使用しなければ、各種処理（録画、再生等）を行うことができない。
【００３７】
色再生回路１８は、信号処理部１５から与えられた画像信号を、原色信号に変換する。変換により得られた原色信号は、テレビ側ＯＳＤ処理部１９（＝第一画像作成手段）に送られる。テレビ側ＯＳＤ処理部１９は、原色信号に対して文字情報等の画像信号を重畳させる。テレビ側ＯＳＤ処理部１９により重畳させられる画像信号としては、例えば光ディスクが搬入された際の光ディスク搬送方向を示す矢印（＝図５に示す搬送方向表示画像５１）が存在する。画像信号の重畳が行われた原色信号はモニタ１６に出力されて表示される。
【００３８】
ＤＶＤ側ＯＳＤ処理部２０（＝第二画像作成手段）は、テレビ側ＯＳＤ処理部１９が出力する原色信号に対してさらに文字情報等の画像信号を重畳させる信号を生成して、モニタ１６に出力する。ＤＶＤ側ＯＳＤ処理部２０により重畳させられる画像としては、例えば光ディスクの外観を簡略化した画像（＝図５に示すディスクロゴ５２）が存在する。
【００３９】
音声回路２１は、信号処理部１５より与えられた音声信号を増幅してスピーカ２２より音声として出力する。操作ボタン群２３は、ユーザが番組の録画及び録画予約等の各種指示をＤＶＤドライブ内蔵テレビ１に対して行なうための入力インタフェースである。操作ボタン群２３により出力された指示は、テレビマイコン１１、或いはＤＶＤマイコン１３により受け付けられる。指示を受け付けたテレビマイコン１１、或いはＤＶＤマイコン１３は、指示の内容に基づいて各種処理を行う。
【００４０】
ＲＯＭ２４（＝記録手段）は情報の読み出しのみが可能な記録媒体である。ＲＯＭ２４には、後述する搬送方向表示部１１ｂがテレビ側ＯＳＤ処理部１９を用いて光ディスクの搬送方向を表示するために用いる情報を記録している。具体的には、光ディスクの搬出処理及び搬入処理における搬送方向を示した搬送方向情報や、光ディクドライブ１７の取付位置を示した取付位置情報等が記録されている。なおこの搬送方向、及び取付位置は光ディスクドライブ１７の取付位置及び取付方向によって決定される。このためこの二つの情報も生産時、或いは工場出荷時にＲＯＭ２４に記録されることが望ましい。
【００４１】
〈２．機能部の構成について〉
【００４２】
ここで、本発明に係るＤＶＤドライブ内蔵テレビ１における搬送方向表示処理を実施すための各機能部の関係を、図１の機能ブロック図を用いながら説明する。
【００４３】
図１に示すように本発明の搬送方向表示処理は少なくとも、テレビマイコン１１が備えるディスク搬送検知部１１ａ（＝第一搬送検知部）、及び搬送方向表示部１１ｂと、ＤＶＤマイコン１３が備えるディスク搬送検知部１３ａ（＝第二搬送検知部）、及びディスクロゴ表示部１３ｂ（＝簡略画像表示部）と、モニタ１６と、光ディスクドライブ１７と、テレビ側ＯＳＤ処理部示１９と、ＤＶＤ側ＯＳＤ表示部２０と、ＲＯＭ２４とにより構成される。
【００４４】
ディスク搬送検知部１１ａは、光ディスクドライブ１７において光ディスクの搬送処理が発生した際に、その検知を行なう。搬送処理は例えば、光ディスクドライブ１７が備えるディスクスロット（不図示）にＤＶＤメディアが挿入された場合等に発生する。
【００４５】
搬送方向表示部１１ｂは、ディスク搬送検知部１１ａにより光ディスクの搬送が検知された際に、光ディスクの搬送処理が実行中であることを示す画像（＝搬送方向表示画像）をテレビ側ＯＳＤ表示部１９を用いて表示する。なおこの表示処理を行なう際に、ＲＯＭ２４より光ディスクの搬送方向、及び光ディスクドライブ１７の取付位置に関する情報を読み出す。そして読み出した情報をもとに特定した搬送方向に適合する搬送方向表示画像を、画面内で光ディスクドライブ１７の取付位置に近い位置に表示する。
【００４６】
ディスク搬送検知部１３ａは、ディスク搬送検知部１１ａと同様、光ディスクドライブ１７において光ディスクの搬送処理が発生した際に、その検知を行なう。ディスクロゴ表示部１３ｂは、ディスク搬送検知部１３ａにより光ディスクの搬送が検知された際に、光ディスクのディスクロゴ（＝簡略画像）をＤＶＤ側ＯＳＤ表示部２０を用いて表示する。
【００４７】
〈３．搬送表示画面について〉
ここで、本発明に係るＤＶＤドライブ内蔵テレビ１が備える搬送方向表示部１１ｂ及びディスクロゴ表示部１３ｂによりモニタ１６に表示される光ディスクの搬送表示画面について、図５〜図７の画面図を用いながら説明する。
【００４８】
図５は、本発明に係るＤＶＤドライブ内蔵テレビ１の搬送表示画面の一例である。図５に示されているように、本発明のＤＶＤドライブ内蔵テレビ１の表示画面５０は、少なくとも搬送方向表示画像５１、及びディスクロゴ５２（＝光ディスクの外観を簡略化した画像）を含むように構成されている。図５における表示画面５０は、通常表示中、例えばチューナ１４より入力したテレビ放送の表示処理等を行っている状態において、光ディスクの排出処理を行った際の画面を示している。
【００４９】
図５に示す表示画面５０においては、搬送方向表示画像５１がテレビ側ＯＳＤ処理部１９により表示されている。この表示処理を行う際、テレビ側ＯＳＤ処理部１９はＲＯＭ２４より光ディスクドライブ１７の搬送方向情報及び取付位置情報を読み出し、これに基づいて表示位置、及び表示する搬送方向表示画像の決定を行う。例えば図５の例では、表示画面５０の右側中央に、右方向を示す矢印（＝搬送方向表示画像５１）が表示されている。これはユーザが表示画面５０を正面から見た場合において、光ディスクドライブ１７が、表示画面５０の右手に位置する場所に取付けられていることを示している。そして矢印が右方向を示していることから、表示画面５０を正面から見た場合の右方向に光ディスクが排出されることが示されている。また表示画面５０においては、ＤＶＤ側ＯＳＤ処理部２０によるディスクロゴ５２の表示が行われている。
【００５０】
また図６は、本発明に係るＤＶＤドライブ内蔵テレビ１の搬送表示画面の一例である。図６における表示画面５０はブラックバック状態、例えばＤＶＤドライブ内蔵テレビ１の電源起動直後の画像の再生等が不可能な状態において、光ディスクの排出処理を行った際の画面を示している。
【００５１】
図６に示す画面においては、テレビ側ＯＳＤ処理部１９により搬送方向表示画像５１が表示されているが、ＤＶＤ側ＯＳＤ処理部２０によるディスクロゴ５２の表示は行われていない。実際にはＤＶＤ側ＯＳＤ処理部２０はディスクロゴ５２の表示処理を行っているのだが、テレビ側ＯＳＤ処理部１９が実施しているブラックバック画面（＝ブラックバック状態の画面）の表示が優先されるため、表示が無効化されたのと同じ状態となる。従って、テレビ側ＯＳＤ処理部１９が表示する搬送方向表示画像５１のみしか、ユーザは認識することができない。
【００５２】
なお図６に示す例では、ＲＯＭ２４から読み出された光ディスクドライブ１７の搬送方向情報及び取付位置情報に基づき表示処理が行なわれている。例えば図６の例では、表示画面５０の中央上側に、上方向を示す矢印（＝搬送方向表示画像５１）が表示されている。これはユーザが表示画面５０を正面から見た場合において、光ディスクドライブ１７が、表示画面５０の中央上側に位置する場所に取付けられていることを示している。そして矢印が上方向を示していることから、表示画面５０を正面から見た場合の上方向に光ディスクが排出されることが示されている。ただし表示画面５０においては、テレビ側ＯＳＤ処理部１９が行うブラックバック画面の表示により、ＤＶＤ側ＯＳＤ処理部２０によるディスクロゴ５２の表示が無効化され、ユーザからは視認できないようになっている
【００５３】
また図７は、本発明に係るＤＶＤドライブ内蔵テレビ１の搬送表示画面の一例である。図７は、図５に示す表示画面５０が、通常画面からブラックバック画面に移行した際の表示状態を示している。ブラックバック画面においては図６と同様、ＤＶＤ側ＯＳＤ処理部２０によるＯＳＤ表示は無効化される。このため、図７に示すように搬送方向表示画像５１のみが表示され、ディスクロゴ５２は非表示となる。
【００５４】
〈４．光ディスクの搬送方向表示処理について〉
ここで、本発明に係るテレビ側マイコン１１による光ディスクの搬送方向表示処理を、図１及び図２のブロック図と、図３のフロー図と、図５〜図７の画面図とを用いながら説明する。
【００５５】
図３は、本発明に係る光ディスクの搬送方向表示処理の処理フローを示したフローチャートである。本処理は、ＤＶＤドライブ内蔵テレビ１に光ディスクが挿入されていない状態において開始される。処理開始後、ディスク搬送検知部１１ａはステップＳ１１０において、光ディスクドライブ１７に対する光ディスクの挿入を検知したかどうかの判定を行う。
【００５６】
ステップ１１０において、挿入が検知されていないと判定された場合、引き続きステップＳ１１０に移行する。検知されたと判定された場合、搬送方向指示部１１ｂはステップＳ１２０において、テレビ側ＯＳＤ処理部１９に対して搬送方向表示画像５１の表示を指示する。
【００５７】
この際、搬送方向指示部１１ｂはＲＯＭ２４より光ディスクドライブ１７の搬送方向情報及び取付位置情報を読み出し、この情報に基づいて搬送方向表示画像５１の表示位置、及び使用する搬送方向表示画像５１を決定する。この決定内容はテレビ側ＯＳＤ処理部１９へ送られる。指示を受けたテレビ側ＯＳＤ処理部１９は、指示に基づいて使用する画像及び画像の表示位置を決定してモニタ１６へ出力を行なう。これにより例えば図５に示すように、モニタ１６の表示画面５０に搬送方向表示画像５１が表示される。
【００５８】
次にディスク搬送検知部１１ｂはステップＳ１３０において、光ディスクドライブ１７における光ディスクの搬送処理が完了したかどうかの監視処理を開始する。この監視処理はステップＳ１４０以降の処理と並行して行われる。なお図３のフロー図には図示していないが、ディスク搬送検知部１１ｂが搬送処理の完了を検知した段階で、搬送方向指示部１１ｂはテレビ側ＯＳＤ処理部１９による搬送方向表示画像５１の表示処理を終了する。
【００５９】
次にテレビマイコン１１はステップＳ１４０において、ディスク搬送検知部１１ｂによる光ディスクの挿入が検知された段階で、ＤＶＤドライブ内蔵テレビ１がパワーオフ状態であったかどうかの判定を行う。パワーオフ状態ではないと判定された場合、本処理を終了する。逆にパワーオフ状態であったと判定された場合、テレビマイコン１１はステップＳ１５０において、テレビ装置を構成する各機能部の起動処理を行う。具体的には、テレビマイコン１１が保持する各パラメータの初期設定、チューナ１４により受信するチャネルの選局、モニタ１６に対する電圧の印加による制御の開始等を行う。
【００６０】
続いてテレビマイコン１１はステップＳ１６０において、テレビ側ＯＳＤ処理部１９を用いてモニタ１６をブラックバック状態にするブラックバック処理を開始する。具体的には、テレビ側ＯＳＤ処理部１９を用いて黒色の画像をモニタ１６に出力する。この黒画像はＤＶＤ側ＯＳＤ処理部２０により表示される画像よりも優先して表示される。このためブラックバック状態においては、ＤＶＤ側ＯＳＤ処理部２０によるＯＳＤ表示が実質不可能となる。ただしテレビ側ＯＳＤ処理部１９によるＯＳＤ表示は可能である。このため例えば、図５に示す表示画面５０がブラックバック状態に移行した場合、図７に示すように搬送方向表示画像５１のみが表示され、ディスクロゴ５２は非表示の状態となる。
【００６１】
次にテレビマイコン１１はステップＳ１７０において、テレビ装置を構成する各機能部の起動処理が完了したかどうかの判定を行う。完了していないと判定された場合は、ステップＳ１６０に移行し、引き続きブラックバック処理及び起動処理を行う。逆に完了していると判定された場合、テレビマイコン１１はステップＳ１８０において、テレビ側ＯＳＤ処理部１９によるブラックバック処理を終了し、本処理を終了する。
【００６２】
〈１−５．光ディスクのディスクロゴ表示処理について〉
ここで、本発明に係るＤＶＤ側マイコン１３による光ディスクのディスクロゴ表示処理を、図１及び図２のブロック図と、図４のフロー図と、図５〜図７の画面図とを用いながら説明する。
【００６３】
図４は、本発明に係る光ディスクのディスクロゴ表示処理の処理フローを示したフローチャートである。本処理は、ＤＶＤドライブ内蔵テレビ１に光ディスクが挿入されていない状態において開始される。なお本処理は、図３に示す光ディスクの搬送方向表示処理と並行して実施される。処理開始後、ディスク搬送検知部１３ａはステップＳ２１０において、光ディスクドライブ１７に対する光ディスクの挿入を検知したかどうかの判定を行う。
【００６４】
ステップ２１０において、挿入が検知されていないと判定された場合、引き続きステップＳ２１０に移行する。逆に検知されたと判定された場合、ＤＶＤマイコン１３はステップＳ２２０において、光ディスクドライブ１７を用いて光ディスクの搬送処理を行う。なおここでいう搬送処理とは、挿入された光ディスクをスピンドルモータ等で回転駆動する部材まで運び、チャッキングするまでの処理を指す。
【００６５】
次にディスクロゴ表示部１３ｂはステップＳ２３０において、ＤＶＤ側ＯＳＤ処理部２０を用いて、ディスクロゴ５２の表示処理を行う。この結果、例えば図５に示すようにディスクロゴ５２が表示画面５０の一部に表示される。なお、ディスクロゴ５２を表示する位置は表示画面５０の内部であればいかなる場所であっても構わない。
【００６６】
ただしこの際、テレビ側ＯＳＤ処理部１９によりブラックバック処理が行われている場合は、ＤＶＤ側ＯＳＤ処理部２０によるＯＳＤ表示が実質無効化されるため、例えば図７に示すようにディスクロゴ５２は画面上に現れない状態となる。
【００６７】
次にディスクロゴ表示部１３ｂはステップＳ２４０において、光ディスクの搬送処理が完了したかどうかの判定を行う。完了していないと判定された場合は、ステップＳ２３０に移行し、引き続きディスクロゴ５２の表示を行う。逆に完了していると判定された場合、ディスクロゴ表示部１３ｂはステップＳ２５０において、ＤＶＤ側ＯＳＤ処理部２０によるディスクロゴ５２の表示処理を終了した後、本処理を終了する。
【００６８】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００６９】
従って本発明は、以下の形態にも適用可能である。
（Ａ）本実施形態では、光ディスクが挿入された場合の搬入処理について説明したが、光ディスクを排出する場合の搬出処理が発生した場合についても、搬送方向表示部１１ｂ及びディスクロゴ表示部１３ｂによる搬送表示処理が行なわれる。
【００７０】
（Ｂ）本実施形態では、光ディスク装置内蔵テレビ装置１の電源が未起動の状態において光ディスクが挿入された場合の処理を例としている。しかしこれ以外の状況においても、ブラックバック状態への移行と光ディスク搬送処理が並行して行なわれた場合において本発明を実施する形態であってもよい。例えば、光ディスクの排出指示を受けた直後に光ディスク装置内蔵テレビ装置１の電源停止指示を受けたとする。この場合、光ディスクの排出処理と、電源停止によるブラックバック状態への移行処理が並行して行なわれる。これにより、例えば図６に示すように、ブラックバック状態でありながら光ディスクの搬送方向を表示することが可能である。
【００７１】
（Ｃ）本実施形態では、テレビ装置に内蔵される記録再生装置としてＤＶＤの記録再生が可能な光ディスクドライブ１７を例にあげているが、これ以外の記録装置、再生装置、或いは記録再生装置を内蔵するテレビ装置において本発明を実施すする形態でもよい。例えば、ＢＤ−Ｒレコーダ、ＣＤプレーヤ、ＭＤプレーヤ、ＭＯディスク装置、ＳＤメモリカードリーダーなどを用いる形態であってもよい。
【００７２】
（Ｄ）本実施形態では、搬送方向表示処理に関わる各種機能部が、マイクロプロセッサ等の演算処理装置上でプログラムを実行することにより実現されているが、各種機能部が複数の回路により実現される形態でもよい。
【図面の簡単な説明】
【００７３】
【図１】は、本発明の光ディスク装置内蔵テレビ装置が備える機能部の構成を示す機能ブロック図である。
【図２】は、本発明の光ディスク装置内蔵テレビ装置を示す構成図である。
【図３】は、本発明の搬送方向表示処理の処理フローを示したフロー図である。
【図４】は、本発明のディスクロゴ表示処理の処理フローを示したフロー図である。
【図５】は、本発明の光ディスク搬送表示画面の一例を示す画面図である。
【図６】は、本発明の光ディスク搬送表示画面の一例を示す画面図である。
【図７】は、本発明の光ディスク搬送表示画面の一例を示す画面図である。
【符号の説明】
【００７４】
１      光ディスク装置内蔵テレビ装置（光ディスク装置内蔵テレビ装置）
１１    テレビマイコン（第一制御部）
１１ａ  ディスク搬送検知部（第一搬送検知部）
１１ｂ  搬送方向表示部
１３    ＤＶＤマイコン（第二制御部）
１３ａ  ディスク搬送検知部（第二搬送検知部）
１３ｂ  ディスクロゴ表示部（簡略画像表示部）
１６    モニタ（表示装置）
１７    光ディスクドライブ（光ディスク装置）
１９    テレビ側ＯＳＤ処理部（第一画像作成手段）
２０    ＤＶＤ側ＯＳＤ処理部（第二画像作成手段）
２４    ＲＯＭ（記録手段）
【図１】
2008199297.tif 000003
【図２】
2008199297.tif 000004
【図３】
2008199297.tif 000005
【図４】
2008199297.tif 000006
【図５】
2008199297.tif 000007
【図６】
2008199297.tif 000008
【図７】
2008199297.tif 000009